(57)【要約】【課題】  マルチパス妨害、過変調による誤動作の少ない隣接妨害検出および隣接妨害対策のできるＦＭラジオ受信機を提供する。【解決手段】  中間周波フィルタ（１）６、中間周波フィルタ（１）６の周波数帯域よりも狭い周波数帯域幅の中間周波フィルタ（２）７、及び、通常は、中間周波フィルタ（１）６を選択し、隣接妨害時に中間周波フィルタ（２）７に切り替える選択器８からなるＦＭ−ＩＦ帯域切り替え機能を有し、隣接妨害の検出は、ＦＭ検波出力のＳカーブセンターからの変化分を、Ｓカーブの上側による寄与分と下側による寄与分を比較器（１）１２及び比較器（２）１３によってそれぞれ独立に検出し、比較結果を比較器（３）２６で比較することによって、隣接妨害時は上側による寄与分と下側による寄与分が異なるがマルチパス、過変調時はほぼ同じになることから両者を区別でき、比較器（３）２６の比較結果に基づいて選択器８が帯域切り替えを行う。【選択図】図１
2005175784.tif 000002
【特許請求の範囲】
【請求項１】
受信した高周波信号に局部発振信号を混合して中間周波信号に変換する混合器と、
前記混合器に局部発振信号を与える局部発振器と、
前記中間周波信号を所定の周波数帯域幅で通過させる第１中間周波フィルタと、
前記中間周波信号を前記第１中間周波フィルタの周波数帯域よりも狭い周波数帯域幅で通過させる第２中間周波フィルタと、
第１中間周波フィルタ及び第２中間周波フィルタの出力信号を選択する選択器と、
前記選択器の出力信号をＦＭ検波するＦＭ検波器と、
前記ＦＭ検波器に基準電圧を与える基準電圧源と、
前記ＦＭ検波器の出力を前記基準電圧よりも高い電圧と比較する第１比較器と、
前記ＦＭ検波器の出力を前記基準電圧よりも低い電圧と比較する第２比較器と、
前記第１および第２比較器の出力信号に応じて前記選択器に制御信号を与える制御回路と
を備えたことを特徴とするＦＭラジオ受信機。
【請求項２】
受信した高周波信号に局部発振信号を混合して中間周波信号に変換する混合器と、
前記混合器に局部発振信号を与える局部発振器と、
前記中間周波信号を所定の周波数帯域幅で通過させる帯域幅可変中間周波フィルタと、
前記中間周波フィルタの出力信号をＦＭ検波するＦＭ検波回路と、
前記ＦＭ検波器に基準電圧を与える基準電圧源と、
前記ＦＭ検波器の出力を前記基準電圧よりも高い電圧と比較する第１比較器と、
前記ＦＭ検波器の出力を前記基準電圧よりも低い電圧と比較する第２比較器と、
前記第１および第２比較器の出力信号に応じて前記中間周波フィルタに制御信号を与え帯域幅を制御する制御回路と
を備えたことを特徴とするＦＭラジオ受信機。
【請求項３】
受信した高周波信号に局部発振信号を混合して中間周波信号に変換する混合器と、
前記混合器に局部発振信号を与える局部発振器と、
前記中間周波信号を所定の周波数帯域幅で通過させる中間周波フィルタと、
前記中間周波フィルタの出力信号をＦＭ検波するＦＭ検波回路と、
前記ＦＭ検波器出力から帯域信号を出力する帯域検出回路と
前記ＦＭ検波器出力を前記帯域検出回路の帯域信号によって減衰させるミュート回路と、
前記ＦＭ検波器に基準電圧を与える基準電圧源と、
前記ＦＭ検波器の出力を前記基準電圧よりも高い電圧と比較する第１比較器と、
前記ＦＭ検波器の出力を前記基準電圧よりも低い電圧と比較する第２比較器と、
前記第１および第２比較器の出力信号に応じて前記帯域信号の帯域幅を制御する制御回路と
を備えたことを特徴とするＦＭラジオ受信機。
【発明の詳細な説明】
【技術分野】
【０００１】
本発明は、隣接局による妨害を防止したＦＭラジオ受信機に関する。
【背景技術】
【０００２】
ＦＭラジオにおける隣接局による妨害、いわゆる隣接妨害が従来より大きな問題となっている。
【０００３】
隣接妨害は、ＦＭラジオの帯域制限用フィルタ(通常１５０ｋＨｚ〜２８０ｋＨｚ)の帯域内に妨害局が存在する場合で、希望信号と妨害信号がともにＦＭ検波器に入力されるため希望局の電界が強い場合にはキャプチャー効果により希望局が受信されるが妨害局が強い場合には妨害局が受信され、双方の大きさがほぼ等しい場合には相互干渉によりＦＭ検波器からは大きなノイズが出力され非常に聞きづらい状況になる。
【０００４】
特に車載用のＦＭラジオでは希望局と妨害局の強さが時々刻々と変化するためさらに条件は悪くなり、車の走行に合わせて対策を実施する必要がある。
【０００５】
この隣接妨害に対する対策手段は幾とおりか提案されており、代表的な例としては隣接妨害時に中間周波フィルタの帯域幅を通常受信状態の広帯域から隣接妨害を軽減できる狭帯域に切り替える方法がある。
【０００６】
この対策手段は、受信帯域を狭くすることにより隣接妨害局が帯域内にはいらなくなり、隣接妨害を軽減できるが狭帯域に切り替えることでＦＭ復調帯域が狭くなるため音質劣化を生じる。
【０００７】
この方法は隣接妨害に対しては音質が劣化しても有効な対策ではあるが、マルチパス、過変調等、他の要因での誤動作が起こりやすく音質が劣化する問題が発生している。
【０００８】
その理由はＦＭ変調波は周波数が変化するため、隣接局による妨害に起因する周波数の変化とＦＭ変調波本来の周波数の変化を区別することがむずかしいからで、有効な隣接妨害の検出手段がないのが現状である。
【０００９】
以下、従来のＦＭラジオ受信機について図９にしたがって説明する。
【００１０】
このＦＭラジオ受信機はアンテナ１、ＲＦ増幅器２、混合器３、局部発振器４、中間周波増幅器（１）５、中間周波フィルタ（１）６、中間周波フィルタ（２）７、中間周波フィルタ（１）６または中間周波フィルタ（２）７の出力を選択して後段に伝える選択器８、中間周波増幅器（２）９、ＦＭ検波器１０、中間周波信号レベル検出回路１６、高域通過フィルタ（ＨＰＦ）１７、ノイズ検出器１８とによって構成される。
【００１１】
ここで中間周波フィルタ（１）は通常の受信帯域を持つ広帯域のフィルタを使用し、中間周波フィルタ（２）は中間周波フィルタ（１）の帯域よりも狭い帯域をもつように設定される。
【００１２】
以上のように構成された従来のＦＭラジオ受信機の動作を説明する。
【００１３】
図９においてアンテナ１で受信した放送局信号はＲＦ増幅器２で増幅され、混合器３で局部発振器４からの局部発振信号と混合されて中間周波信号に変換される。中間周波信号は中間周波増幅器（１）５で増幅され、中間周波フィルタ（１）６または中間周波フィルタ（２）７で帯域制限され、さらに中間周波増幅器（２）９で増幅および振幅制限された後ＦＭ検波器１０でＦＭ復調されて出力される。通常は音質の面から帯域幅の広い中間周波フィルタ（１）６のほうが選択器によって選択されている。
【００１４】
一方、中間周波増幅器（１）５の出力には隣接妨害時には希望局の信号と妨害局の信号のビート成分による大きなノイズが重畳しているため、中間周波信号レベル検出回路１６でレベルを検出し、ＨＰＦ１７を通して中間周波信号にのるノイズ成分をノイズ検出器１８で検出することにより隣接妨害が検出でき、ノイズ成分が多いときに選択器８を制御して、帯域の狭い中間周波フィルタ（２）７を選択するように動作させ隣接妨害の対策をしている。
【発明の開示】
【発明が解決しようとする課題】
【００１５】
図９のように構成される従来のＦＭラジオ受信機では、隣接妨害時には中間周波フィルタの帯域を狭くすることができるためノイズの低減が可能であるが、ノイズ検出器で隣接妨害を検出をする際、マルチパス妨害、過変調、弱入力時のノイズ等他の要因から生じるノイズも検出してしまうため隣接妨害時以外にも中間周波フィルタが切り替わり誤動作を生じる場合がある。
【００１６】
次に、図４を用いて過変調時の誤動作について説明する。
【００１７】
図４において、ａは中間周波増幅器の帯域特性を模式的に表したもの、ｂは中間周波信号の瞬時周波数の変化を図示したものでＦＭ検波器出力はこの波形が出力される。また、ｃは中間周波信号のレベルを検出した信号であって、図９の信号Ｐに相当する。
【００１８】
ここで、図４における、ｂのように周波数が変化する場合には中間周波増幅器の帯域外に周波数が出るとレベルが減衰するため、ｃのように中間周波信号レベルが変化するようになる。この中間周波信号のレベル検出信号がＨＰＦ１７をとおり１８のノイズ検出器で検出されて誤動作をおこす。
【００１９】
また、マルチパス時は直接波と反射波が重畳されるため相互に打ち消す場合と増強される場合があり、中間周波レベル出力電圧が変化する。また、弱入力時にもノイズによってシグナルメータ電圧が変化する。いずれの場合も同様にノイズ検出器が動作する。このような場合には中間周波フィルタの帯域が不必要に狭くなるため音質劣化を招く原因となっている。
【００２０】
本発明は、上記従来の問題点を解決するものであり、隣接局による妨害を誤動作なく検出し、適切な隣接妨害対策ができるＦＭラジオ受信機を提供することを目的とする。
【課題を解決するための手段】
【００２１】
この目的を達成するために、請求項１に係る発明は、受信した高周波信号に局部発振信号を混合して中間周波信号に変換する混合器と、前記混合器に局部発振信号を与える局部発振器と、前記中間周波信号を所定の周波数帯域幅で通過させる第１中間周波フィルタと、前記中間周波信号を前記第１中間周波フィルタの周波数帯域よりも狭い周波数帯域幅で通過させる第２中間周波フィルタと、第１中間周波フィルタ及び第２中間周波フィルタの出力信号を選択する選択器と、前記選択器の出力信号をＦＭ検波するＦＭ検波器と、前記ＦＭ検波器に基準電圧を与える基準電圧源と、前記ＦＭ検波器の出力を前記基準電圧よりも高い電圧と比較する第１比較器と、前記ＦＭ検波器の出力を前記基準電圧よりも低い電圧と比較する第２比較器と、前記第１および第２比較器の出力信号に応じて前記選択器に制御信号を与える制御回路とを備えたことを特徴としている。
【００２２】
また請求項２に係る発明は、受信した高周波信号に局部発振信号を混合して中間周波信号に変換する混合器と、前記混合器に局部発振信号を与える局部発振器と、前記中間周波信号を所定の周波数帯域幅で通過させる帯域幅可変中間周波フィルタと、前記中間周波フィルタの出力信号をＦＭ検波するＦＭ検波回路と、前記ＦＭ検波器に基準電圧を与える基準電圧源と、前記ＦＭ検波器の出力を前記基準電圧よりも高い電圧と比較する第１比較器と、前記ＦＭ検波器の出力を前記基準電圧よりも低い電圧と比較する第２比較器と、前記第１および第２比較器の出力信号に応じて前記中間周波フィルタに制御信号を与え帯域幅を制御する制御回路とを備えたことを特徴としている。
【００２３】
また請求項３に係る発明は、受信した高周波信号に局部発振信号を混合して中間周波信号に変換する混合器と、前記混合器に局部発振信号を与える局部発振器と、前記中間周波信号を所定の周波数帯域幅で通過させる中間周波フィルタと、前記中間周波フィルタの出力信号をＦＭ検波するＦＭ検波回路と、前記ＦＭ検波器出力から帯域信号を出力する帯域検出回路と前記ＦＭ検波器出力を前記帯域検出回路の帯域信号によって減衰させるミュート回路と、前記ＦＭ検波器に基準電圧を与える基準電圧源と、前記ＦＭ検波器の出力を前記基準電圧よりも高い電圧と比較する第１比較器と、前記ＦＭ検波器の出力を前記基準電圧よりも低い電圧と比較する第２比較器と、前記第１および第２比較器の出力信号に応じて前記帯域信号の帯域幅を制御する制御回路とを備えたことを特徴としている。
【発明の効果】
【００２４】
本発明によれば、ＦＭ検波出力の時間軸上での上側部分と下側部分をそれぞれ独立に検出し比較することで隣接妨害と他の妨害とを区別することができ、有効な隣接妨害検出動作によって中間周波フィルタを切り替え、効果的な隣接妨害対策が可能なすぐれたＦＭラジオ受信機を構成することができる。
【００２５】
また、ＦＭ検波出力の時間軸上での上側部分と下側部分をそれぞれ独立に検出し比較することで隣接妨害と他の妨害とを区別することができ、有効な隣接妨害検出動作によって中間周波フィルタ帯域を変更でき効果的な隣接妨害対策が可能なすぐれたＦＭラジオ受信機を構成することができる。
【００２６】
また、ＦＭ検波出力の時間軸上での上側部分と下側部分をそれぞれ独立に検出し比較することで隣接妨害と他の妨害とを区別することができ、有効な隣接妨害検出動作によって帯域ミュートを動作でき効果的な隣接妨害対策が可能なすぐれたＦＭラジオ受信機を構成することができる。
【発明を実施するための最良の形態】
【００２７】
以下、本発明の実施の形態におけるＦＭラジオ受信機について、図を用いて説明する。
【００２８】
（実施の形態１）
図１は本発明の実施の形態１におけるＦＭラジオ受信機の構成を示すブロック図であり、図９に示す従来技術と同一部分は同一符号を用い、詳細な説明は省略する。
【００２９】
図１に示すように実施の形態１のＦＭラジオ受信機は、アンテナ１、ＲＦ増幅器２、混合器３、局部発振器４、中間周波増幅器（１）５、中間周波フィルタ（１）６、中間周波フィルタ（２）７、中間周波フィルタ（１）６または中間周波フィルタ（２）の出力を選択して後段に伝える選択器８、中間周波増幅器（２）９、ＦＭ検波器１０、基準電圧源１１、比較器（１）１２、比較器（２）１３、隣接妨害検出部１４とによって構成される。ここで中間周波フィルタ（１）は通常の受信帯域を持つ広帯域のフィルタを使用し、中間周波フィルタ（２）は中間周波フィルタ（１）の帯域よりも狭い帯域をもつように設定される。
【００３０】
以上のように構成された本発明のＦＭラジオ受信機の動作を説明する。
【００３１】
アンテナ１で受信した放送局信号はＲＦ増幅器２で増幅され、混合器３で局部発振器４からの局部発振信号と混合されて中間周波信号に変換される。中間周波信号は中間周波増幅器（１）５で増幅され、中間周波フィルタ（１）６または中間周波フィルタ（２）７で帯域制限され、さらに中間周波増幅器（２）９で増幅および振幅制限された後、ＦＭ検波器１０でＦＭ復調されて出力端子１５より出力される。通常は音質の面から帯域幅の広い中間周波フィルタ（１）６のほうが選択器によって選択されている。
【００３２】
ここでＦＭ検波器出力（Ｖｏ）は、基準電圧源１１から出力される基準電圧（Ｖｒ）を中心として、図８のように周波数軸に対してＳ字状のカーブ（Ｓカーブ）を描く。このＶｏとＶｒよりも高い電圧Ｖ＋とが比較器（１）１２において比較され、ＶｏがＶ＋よりも高い場合には比較器（１）１２から判定信号Ｖａが出力される。またＶｏとＶｒよりも低い電圧Ｖ−とが比較器（２）１３で比較されＶｏがＶ−よりも低い場合には比較器（２）１３から判定信号Ｖｂが出力される。
【００３３】
この様子を図６および図７に示す。
【００３４】
図６は過変調またはマルチパス妨害時のＶｏ（図６のａ，ｄ）、Ｖａ(図６のｂ)，Ｖｂ（図６のｃ）を示す説明図であり、ｄの部分は通常のＦＭ検波器の出力を示す。図６のａの部分が過変調またはマルチパス妨害の例でＶ＋よりも高いと比較器（１）１２から図６のｂのＶａが出力され、Ｖ−よりも低いと比較器（２）１３から図６のｃのＶｂが出力される。
【００３５】
また、図７は隣接妨害時の例を示したものであり、図６と同様の内容であるが、隣接妨害時には図７のａのようにＦＭ検波器出力Ｖｏが時間軸に対して対象とならずいずれかに偏る。このため、図７に示す例では比較器（１）１２からは出力Ｖａが出力されるが、比較器（２）１３からの出力Ｖｂは０となる。
【００３６】
このＶａおよびＶｂは隣接妨害検出部１４でＶｏの変化に比べて十分に長い時間ホールドまたは積分され、それぞれＶａｏ、Ｖｂｏとなり比較器（３）２６によって比較される。
【００３７】
隣接妨害時には図７のようにＶａｏとＶｂｏが等しくないために比較器（３）２６から選択器８に対して帯域切り替え信号を出力し狭帯域の中間周波フィルタ（２）７を選択する。
【００３８】
また、過変調またはマルチパス等の隣接妨害以外のノイズの場合には、図６のようにＶａｏとＶｂｏがほぼ等しくなりこの場合には比較器（３）２６の出力はなくなり広帯域の中間周波フィルタ（１）６が選択されるように動作する。
【００３９】
上記のＶ＋およびＶ−は基準電圧Ｖｒに対してＶ＋は高く、Ｖ−は低く設定されるが、ＶｒとＶ＋およびＶｒとＶ−の差は使用するＦＭ検波器の検波ゲイン（Ｖｏ／Δｆ）と検出する周波数偏移との関係により設定され周波数偏移が小さい場合には動作しないようにする。さらに、中間周波フィルタが狭帯域側に設定された場合、図７に示すｅのようにＦＭ検波器出力がリミットされるがＶ＋およびＶ−によって検出される周波数偏移を狭帯域フィルタの帯域幅よりも小さく設定しておけば狭帯域の状態でも上記と同様な検出動作が可能となる。
【００４０】
ここで、Δｆは中間周波数からの周波数偏移をあらわす。この検出する周波数偏移は通常のＦＭラジオ受信機では１００ｋＨｚ隣接局の妨害対策のため数十ｋＨｚとなるようにＶ＋，Ｖ−を設定する。
【００４１】
図５に示すように、通常ＦＭ変調波は周波数が変化しているため過変調時あるいはマルチパス時、またノイズの多い入力時にはＦＭ検波出力ＶｏはＳカーブにそって変化するがいずれの場合にもＳカーブ上を原点Ｏを中心にほぼ対象に動き、検波出力の時間変化は平均するとほぼ０になる。
【００４２】
一方、隣接妨害時には周波数の異なる信号がＦＭ検波器に同時に入力されるため検波出力の時間変化分は平均すると０ではなくどちらかに偏ることになる。
【００４３】
本発明のＦＭラジオ受信機では、この特性を利用してＦＭ検波出力の時間軸上での上側部分と下側部分をそれぞれ独立に検出し比較することで隣接妨害と他の妨害とを区別することができるため効果的に中間周波フィルタの切り替えを行うことができ、誤動作の少ない隣接妨害対策が可能なＦＭラジオ受信機を実現できるものである。
【００４４】
（実施の形態２）
以下、本発明の実施の形態２におけるＦＭラジオ受信機について図を用いて説明する。
【００４５】
図２は本発明の実施の形態２におけるＦＭラジオ受信機の構成を示すブロック図であり、図１と同一部分は同一符号を用い、詳細な説明は省略する。
【００４６】
図２に示すように実施の形態２のＦＭラジオ受信機は、アンテナ１、ＲＦ増幅器２、混合器３、局部発振器４、中間周波増幅器（１）５、通過帯域幅が可変な中間周波フィルタ１９、中間周波増幅器（２）９、ＦＭ検波器１０、基準電圧源１１、比較器（１）１２、比較器（２）１３、隣接妨害検出部１４および隣接妨害検出部の出力を受けて中間周波フィルタの帯域幅を制御する制御信号源２０とで構成される。
【００４７】
以上のように構成された実施の形態２のＦＭラジオ受信機の動作を説明する。
【００４８】
アンテナ１で受信した放送局信号はＲＦ増幅器２で増幅され、混合器３で局部発振器４からの局部発振信号と混合されて中間周波信号に変換される。中間周波信号は中間周波増幅器（１）５で増幅され、中間周波フィルタ１９で帯域制限され、さらに中間周波増幅器（２）９で増幅および振幅制限された後、ＦＭ検波器１０でＦＭ復調されて出力端子１５より出力される。通常中間周波フィルタは音質の面から帯域幅を広く設定しておく。
【００４９】
ここでＦＭ検波器出力（Ｖｏ）は基準電圧源１１から出力される基準電圧（Ｖｒ）を中心として図８のように周波数軸に対してＳ字状のカーブ（Ｓカーブ）を描く。このＶｏとＶｒよりも高い電圧Ｖ＋とが比較器（１）１２で比較されＶｏがＶ＋よりも高い場合には比較器（１）１２から判定信号Ｖａが出力される。
【００５０】
またＶｏとＶｒよりも低い電圧Ｖ−とが比較器（２）１３で比較されＶｏがＶ−よりも低い場合には比較器（２）１３から判定信号Ｖｂが出力される。
【００５１】
この様子を図６および図７に示す。
【００５２】
図６は過変調またはマルチパス妨害時のＶｏ（図６のａ，ｄ）、Ｖａ(図６のｂ)，Ｖｂ（図６のｃ）を示したもので、図６のｄの部分は通常のＦＭ検波器の出力。図６のａの部分が過変調またはマルチパス妨害でＶ＋よりも高いと比較器（１）１２から図６のｂのＶａが出力され、Ｖ−よりも低いと比較器（２）１３から図６のｃのＶｂが出力される。
【００５３】
また図７は隣接妨害時の例を示してあり図６と同様の内容であるが、隣接妨害時には図７のａのようにＦＭ検波器出力Ｖｏが時間軸に対して対象とならずいずれかにかたよる。このため図７の例では比較器（１）１２からは出力Ｖａが出力されるが、比較器（２）１３からの出力Ｖｂは０となる。
【００５４】
このＶａおよびＶｂは隣接妨害検出部１４でＶｏの変化に比べて十分に長い時間ホールドまたは積分され、それぞれＶａｏ、Ｖｂｏとなり比較器（３）２６で比較される。
【００５５】
隣接妨害時には図７のようにＶａｏとＶｂｏが等しくないために比較器（３）２６から制御信号源２０に対して帯域切り替え信号を出力し帯域を狭帯域に設定する。
【００５６】
また、過変調またはマルチパス等の隣接妨害以外のノイズの場合図６のようにＶａｏとＶｂｏがほぼ等しくなりこの場合には比較器（３）２６の出力はなくなり可変中間周波フィルタの帯域を広帯域に設定するように動作する。
【００５７】
上記のＶ＋およびＶ−は基準電圧Ｖｒに対してＶ＋は高く、Ｖ−は低く設定されるがＶｒとＶ＋およびＶｒとＶ−の差は使用するＦＭ検波器の検波ゲイン（Ｖｏ／Δｆ）と検出する周波数偏移との関係により設定され周波数偏移が小さい場合には動作しないようにする。
【００５８】
さらに、中間周波フィルタが狭帯域側に設定された場合、図７のｅのようにＦＭ検波器出力がリミットされる。しかし、Ｖ＋およびＶ−によって検出される周波数偏移を設定した中間周波フィルタの帯域幅よりも小さく設定しておけば狭帯域の状態でも上記と同様な検出動作が可能となる。
【００５９】
ここでΔｆは中間周波数からの周波数偏移をあらわす。この検出する周波数偏移は通常のＦＭラジオ受信機では１００ｋＨｚ隣接局の妨害対策のため数十ｋＨｚとなるようにＶ＋，Ｖ−を設定する。
【００６０】
図５に示すように、通常ＦＭ変調波は周波数が変化しているため過変調時あるいはマルチパス時、またノイズの多い入力時にはＦＭ検波出力ＶｏはＳカーブにそって変化するがいずれの場合にもＳカーブ上を原点Ｏを中心にほぼ対象に動き、検波出力の時間変化は平均するとほぼ０になる。
【００６１】
一方、隣接妨害時には周波数の異なる信号がＦＭ検波器に同時に入力されるため検波出力の時間変化分は平均すると０ではなくどちらかに偏ることになる。
【００６２】
実施の形態２のＦＭラジオ受信機では、この特性を利用してＦＭ検波出力の時間軸上での上側部分と下側部分をそれぞれ独立に検出し比較することで隣接妨害と他の妨害とを区別することができるため効果的に中間周波フィルタの帯域幅を変更でき、誤動作の少ない隣接妨害対策が可能なＦＭラジオ受信機を実現できるものである。
【００６３】
（実施の形態３）
以下、本発明の実施の形態３におけるＦＭラジオ受信機について図を用いて説明する。
【００６４】
図３に示すように実施の形態３におけるＦＭラジオ受信機の構成を示すブロック図であり、図１と同一部分は同一符号を用いる。
【００６５】
図３においてこのＦＭラジオ受信機は、アンテナ１、ＲＦ増幅器２、混合器３、局部発振器４、中間周波増幅器（１）５、中間周波フィルタ６、中間周波増幅器（２）９、ＦＭ検波器１０、基準電圧源１１、比較器（１）１２、比較器（２）１３、隣接妨害検出部１４、ＦＭ検波器出力から帯域信号を作る帯域信号検出回路２２および帯域信号検出回路の出力によってＦＭ検波器出力を減衰させるミュート回路２１とによって構成される。
【００６６】
以上のように構成された実施の形態３のＦＭラジオ受信機の動作を説明する。
【００６７】
図３においてアンテナ１で受信した放送局信号はＲＦ増幅器２で増幅され、混合器３で局部発振器４からの局部発振信号と混合されて中間周波信号に変換される。中間周波信号は中間周波増幅器（１）５で増幅され、中間周波フィルタ６（１）で帯域制限され、さらに中間周波増幅器（２）９で増幅および振幅制限された後ＦＭ検波器１０でＦＭ復調され、ミュート回路２１を通って出力端子２３より出力される。
【００６８】
次に、ＦＭ検波器出力は帯域信号検出回路２２により図８のｂのような帯域信号を出力し、この帯域信号によってミュート回路を駆動し、信号が帯域外にある場合にはＦＭ検波器出力を減衰させる、図８のｄに示すごとく帯域ミュート回路として動作する。
【００６９】
図８のａおよび図８のｂは帯域検出出力を表し、図８のａは通常受信時、図８のｂは隣接妨害がある場合の出力、図８のｃおよび図８のｄはＡＦ出力を表しており、図８のｃは通常受信時、図８のｄは隣接妨害のある場合である。横軸は中間周波の周波数である。
【００７０】
ここでＦＭ検波器出力（Ｖｏ）は、基準電圧源１１から出力される基準電圧（Ｖｒ）を中心として図８のように周波数軸に対してＳ字状のカーブ（Ｓカーブ）を描く。このＶｏとＶｒよりも高い電圧Ｖ＋とが比較器（１）１２で比較されＶｏがＶ＋よりも高い場合には比較器（１）１２から判定信号Ｖａが出力される。
【００７１】
またＶｏとＶｒよりも低い電圧Ｖ−とが比較器（２）１３で比較され、ＶｏがＶ−よりも低い場合には比較器（２）１３から判定信号Ｖｂが出力される。
【００７２】
この様子を図６および図７に示す。
【００７３】
図６は過変調またはマルチパス妨害時のＶｏ（図６のａ，ｄ）、Ｖａ(図６のｂ)，Ｖｂ（図６のｃ）を示したもので、図６のｄの部分は通常のＦＭ検波器の出力。図６のａの部分が過変調またはマルチパス妨害でＶ＋よりも高いと比較器（１）１２から図６のｂのＶａが出力され、Ｖ−よりも低いと比較器（２）１３から図６のｃのＶｂが出力される。
【００７４】
また、図７は隣接妨害時の例を示してあり図６と同様の内容であるが、隣接妨害時には図７のａのようにＦＭ検波器出力Ｖｏが時間軸に対して対象とならずいずれかに偏る。このため図７の例では比較器（１）１２からは出力Ｖａが出力されるが、比較器（２）１３からの出力Ｖｂは０となる。
【００７５】
このＶａおよびＶｂは隣接妨害検出部１４でＶｏの変化に比べて十分に長い時間ホールドまたは積分され、それぞれＶａｏ、Ｖｂｏとなり比較器（３）２６で比較される。
【００７６】
隣接妨害時には図７のようにＶａｏとＶｂｏが等しくないために比較器（３）２６から帯域信号検出回路２２に対して図８のｂの帯域検出信号を出力させミュート回路２１で帯域外の信号に対して図８のｄの如くＡＦ出力を減衰させ隣接妨害のノイズを低減させる。
【００７７】
また、過変調またはマルチパス等の隣接妨害以外のノイズの場合、図６のようにＶａｏとＶｂｏがほぼ等しくなり、この場合には帯域検出信号は図８のａのようになり図８のｃのごとく通常受信状態になる。
【００７８】
上記のＶ＋およびＶ−は基準電圧Ｖｒに対してＶ＋は高く、Ｖ−は低く設定されるがＶｒとＶ＋およびＶｒとＶ−の差は使用するＦＭ検波器の検波ゲイン（Ｖｏ／Δｆ）と検出する周波数偏移との関係により設定され周波数偏移が小さい場合には動作しないようにする。この場合には、実施の形態１および２と異なり、帯域ミュート動作時でもＦＭ検波器出力Ｖｏは変化しないため妨害検出動作は変化しない。
【００７９】
ここで、Δｆは中間周波数からの周波数偏移を示す。この検出する周波数偏移は通常のＦＭラジオ受信機では１００ｋＨｚ隣接局の妨害対策のため数十ｋＨｚとなるようにＶ＋，Ｖ−を設定する。
【００８０】
図５に示すように、通常、ＦＭ変調波は周波数が変化しているため過変調時あるいはマルチパス時、またノイズの多い入力時にはＦＭ検波出力ＶｏはＳカーブにそって変化するが、いずれの場合にもＳカーブ上を原点Ｏを中心にほぼ対象に動き、検波出力の時間変化は平均するとほぼ０になる。
【００８１】
一方、隣接妨害時には周波数の異なる信号がＦＭ検波器に同時に入力されるため検波出力の時間変化分は平均すると０ではなくどちらかにかたよることになる。
【００８２】
実施の形態３のＦＭラジオ受信機では、この特性を利用してＦＭ検波出力の時間軸上での上側部分と下側部分をそれぞれ独立に検出し比較することで隣接妨害と他の妨害とを区別することができるため効果的に帯域ミュート機能を動作させられるため、誤動作の少ない隣接妨害対策が可能なＦＭラジオ受信機が実現できる。
【産業上の利用可能性】
【００８３】
本発明は、適切な隣接妨害対策が可能なＦＭラジオ受信機を実現したものであり、特に車載用のＦＭラジオ受信機の分野において利用できる。
【図面の簡単な説明】
【００８４】
【図１】本発明の第１の実施の形態におけるＦＭラジオ受信機のブロック図
【図２】本発明の第２の実施の形態におけるＦＭラジオ受信機のブロック図
【図３】本発明の第３の実施の形態におけるＦＭラジオ受信機のブロック図
【図４】過変調時のノイズ検出回路の動作の説明図
【図５】ＦＭ検波器出力（Ｓカーブ）の説明図
【図６】過変調またはマルチパス時の本発明のノイズ検出動作の説明図
【図７】隣接妨害時の本実施の形態のノイズ検出動作の説明図
【図８】帯域検出信号および帯域ミューティングの説明図
【図９】従来のＦＭラジオ受信機のブロック図
【符号の説明】
【００８５】
１    アンテナ
２    ＲＦ増幅器
３    混合器
４    局部発振器
５    中間周波増幅器（１）
６    中間周波フィルタ（１）
７    中間周波フィルタ（２）
８    選択器
９    中間周波増幅器（２）
１０  ＦＭ検波器
１１  基準電圧源
１２  比較器（１）
１３  比較器（２）
１４  隣接妨害検出部
１５  出力端子
１６  中間周波レベル検出回路
１７  高域通過フィルタ（ＨＰＦ）
１８  ノイズ検出器
１９  帯域幅可変中間周波フィルタ
２０  制御信号源
２１  ミュート回路
２２  帯域信号検出回路
２３  出力端子
２４，２５  積分器
２６  比較器（３）
【図１】
2005175784.tif 000003
【図２】
2005175784.tif 000004
【図３】
2005175784.tif 000005
【図４】
2005175784.tif 000006
【図５】
2005175784.tif 000007
【図６】
2005175784.tif 000008
【図７】
2005175784.tif 000009
【図８】
2005175784.tif 000010
【図９】
2005175784.tif 000011